(57)【要約】      （修正有）【課題】基板、鉄板、黒板表面板を丸く切断することなく、角を丸くした黒板を製造することのできる黒板用コーナー枠を提供する。【解決手段】黒板用コーナー枠Ｆ１は、外周が１／４円部分１ａと直線部分１ｂを有する形状の枠本体１を有し、また、断面がほぼ半円状の部分１ｃと、平板部分１ｄを有している。枠本体１の平板部分１ｄの内側には、４５°にカットされた黒板本体２の基板の端面２ｆに対して垂直方向に先端が接する脚部１ｅが形成されている。さらに、枠本体１の内側には、黒板本体２の水平縁面と垂直縁面に接する補助脚部１ｆも形成されている。脚部１ｅ，１ｆには、ビスを挿通するためのビス穴１ｇが設けられている。【選択図】図１
0003177839.tif 000002
【実用新案登録請求の範囲】
【請求項１】
外周が１／４円部分を有する形状の枠本体を有し、この枠本体の内側に、４５°にカットされた黒板本体の端面に対して垂直方向に先端が接する脚部が形成されている黒板コーナー枠。
【請求項２】
前記枠本体は、黒板本体の表面を覆う断面半円状の部分と、直線状の縁枠の端部を覆う平板部分から成るＪ字状断面を呈している請求項１記載の黒板コーナー枠。
【請求項３】
前記脚部の中心線上に前記基板の端面に対して垂直方向にビスを挿通するためのビス穴を有している請求項１または２に記載の黒板コーナー枠。
【請求項４】
全体がプラスチック成形により形成されている請求項１〜３のいずれかに記載の黒板コーナー枠。
【考案の詳細な説明】
【技術分野】
【０００１】
本考案は、黒板（緑板、ホワイトボード、掲示板を含む。）の角部を丸く形成する黒板用コーナー枠に関する。
【背景技術】
【０００２】
教室や会議室に設置される固定式黒板や移動式黒板は、一般的にはベニヤ板等の直方形の基板の表面に黒板表面板を貼り付け、外周は縁枠で覆った構造である。黒板の角は、横縁枠の端部と縦縁枠の端部を４５°にカットして付きあわせて固定するか、特許文献１，２に示すように、隅ジョイナーや角カバーを設けて横縁枠と縦縁枠の接合部の隙間を覆う構造が採られている。
【０００３】
また、特許文献３には、４辺の第１額縁材の隅角部に円弧状に屈曲した第２額縁材を取り付けた構造の簡易ホワイトボードが記載されている。
【０００４】
近年では、図５に示すように、角を丸くした黒板２１も販売されている。角が丸い黒板２１の場合、直線状の縁枠では丸いコーナー部分は覆うことができないため、例えばシリコーンゴム等の柔軟な縁枠２２を用いて黒板２１の周囲を被覆するか、図６に示す黒板３１のように、直線状の縁枠３２と円弧状のコーナー枠３３を組み合わせて外周を被覆するかの構造が用いられている。
【０００５】
なお、図５（ｂ）中、２１ａはベニヤ板等の基板、２１ｂはマグネット吸着用の鉄板、２１ｃは黒板表面板、２１ｄは裏枠桟、２２ａは縁枠２２に設けられた凹条、２３は凹条２２ａの部分からねじ込まれたビス、２４はビス２３の頭を隠すために凹条２２ａに嵌め込まれるフレキシブルコードである。
【０００６】
また、図６（ｂ）中、３１ａはベニヤ板等の基板、３１ｂはマグネット吸着用の鉄板、３１ｃは黒板表面板、３１ｄは裏枠桟、３２ａは縁枠３２に設けられた凹条、３４は凹条３２ａの部分からねじ込まれたビス、３５はビス３４の頭を隠すために凹条３２ａに嵌め込まれるフレキシブルコードである。
【先行技術文献】
【特許文献】
【０００７】
【特許文献１】実公昭６２−４３８２９号公報
【特許文献２】特許第２５１１３０８号公報
【特許文献３】実用新案登録第２５８８７８８号公報
【考案の概要】
【考案が解決しようとする課題】
【０００８】
しかしながら、図５および図６に示す従来の黒板２１，３１では、図７に示すように、角を丸くするために、基板２１ａ，３１ａ、鉄板２１ｂ，３１ｂ、黒板表面板２１ｃ，３１ｃも角を丸く切断しなければならず、きれいな円弧状に切断するにはミシン鋸等の工具を用いる必要がある。特に、鉄板２１ｂ，３１ｂを設けたものでは、ミシン鋸により円弧状に切断するのが難しい。
【０００９】
そこで本考案は、基板、鉄板、黒板表面板を丸く切断することなく、角を丸くした黒板を製造することのできる黒板用コーナー枠を提供することを目的とする。
【課題を解決するための手段】
【００１０】
前記課題を解決するため、本考案の黒板コーナー枠は、外周が１／４円部分を有する形状の枠本体を有し、この枠本体の内側に、４５°にカットされた黒板本体の端面に対して垂直方向に先端が接する脚部が形成されていることを特徴とする。
【００１１】
本考案においては、枠本体の内側に、４５°にカットされた黒板本体の端面に対して垂直方向に先端が接する脚部が形成されているので、黒板本体の角部を丸く切断しなくても、黒板全体として円形のコーナーを有する外観となり、製造工程が簡略化できる。
【００１２】
前記枠本体は、黒板本体の表面を覆う断面半円状の部分と、直線状の縁枠の端部を覆う平板部分から成るＪ字状断面を呈する形態であることが好ましい。
また、前記脚部の中心線上に黒板本体の端面に対して垂直方向にビスを挿通するためのビス穴を有することにより、黒板本体の角部に確実に固定することができる。
黒板用コーナー枠、全体をプラスチック成形により形成することができる。
【考案の効果】
【００１３】
本考案によれば、外周が１／４円部分を有する形状の枠本体を有し、この枠本体の内側に、４５°にカットされた黒板本体の端面に対して垂直方向に先端が接する脚部が形成されている黒板用コーナー枠であるので、基板、鉄板、黒板表面板を丸く切断することなく、角を丸くした黒板を製造することができる。
【図面の簡単な説明】
【００１４】
【図１】本考案の実施の形態１を示すものであり、（ａ）は正面図、（ｂ）は底面図、（ｃ）は（ａ）のＣ−Ｃ断面図である。
【図２】本考案の実施の形態１に係る黒板用コーナー枠を取り付けた黒板を示すものであり、（ａ）は背面から見た斜視図、（ｂ）は正面から見た斜視図である。
【図３】本考案の実施の形態２を示すものであり、（ａ）は正面図、（ｂ）は底面図、（ｃ）は黒板への取付状態を示す要部拡大図である。
【図４】本考案の実施の形態２に係る黒板用コーナー枠を取り付けた黒板を示すものであり、（ａ）は背面から見た斜視図、（ｂ）は正面から見た斜視図である。
【図５】従来例１を示すものであり、（ａ）は斜視図、（ｂ）は（ａ）のＡ−Ａ拡大断面図である。
【図６】従来例２を示すものであり、（ａ）は要部拡大斜視図、（ｂ）は（ａ）のＢ−Ｂ拡大断面図である。
【図７】従来例１，２における黒板本体の要部拡大斜視図である。
【考案を実施するための形態】
【００１５】
以下、本考案の実施の形態を図１〜図４を参照して具体的に説明する。
＜実施の形態１＞
図１および図２は本考案の実施の形態１を示すものである。
図１に示すように、本考案の実施の形態１に係る黒板用コーナー枠Ｆ１は、外周が１／４円部分１ａと直線部分１ｂを有する形状の枠本体１を有し、また、断面がほぼ半円状の部分１ｃと、平板部分１ｄからなるＪ字状を呈している。枠本体１の平板部分１ｄの内側には、４５°にカットされた黒板本体２の基板の端面２ｆに対して垂直方向に先端が接する脚部１ｅが形成されている。さらに、枠本体１の内側には、黒板本体２の水平縁面と垂直縁面に接する補助脚部１ｆも形成されている。脚部１ｅ，１ｆの所には、ビスを挿通するためのビス穴１ｇが設けられている。
【００１６】
本実施の形態１に係る黒板用コーナー枠Ｆ１は、例えばポリエチレン、ポリスチレン、塩化ビニル等の熱可塑性樹脂を成形加工することで製造することができる。
【００１７】
上記の構成の黒板用コーナー枠Ｆ１を、黒板本体２の角部に取り付けた状態を図２に示す。図２（ａ）には、黒板本体２の断面も示しており、２ａは黒板本体２の基板、２ｂはマグネット吸着のための鉄板、２ｃは黒板表面板、２ｄは裏枠桟、２ｅはコーナー補強材を示している。
【００１８】
黒板本体２の縦、横の裏枠桟２ｄには、それぞれ直線状の縁枠３が固定され、各縁枠３の端部を覆うように、黒板用コーナー枠Ｆ１の直線部分１ｂが上から重ね合わせられ、１／４円部分１ａの内側に設けられた脚部１ｅの先端が、黒板本体２の４５°にカットされた端面２ｆに当たるようにセットされ、ビス穴１ｇからビスで黒板本体２の端面２ｆに締め付け固定される。また、両側のビス穴１ｇからビスで黒板本体２の水平縁面と垂直縁面に締め付け固定される。
【００１９】
本考案の実施の形態１に係る黒板用コーナー枠Ｆ１を用いることにより、黒板本体２のコーナーを円弧状に加工することなく、単に直線状にカットするのみで、黒板本体２全体として角が丸い黒板を得ることができる。
【００２０】
＜実施の形態２＞
次に、本考案の実施の形態２を図３および図４を参照して具体的に説明する。
図３に示すように、本考案の実施の形態２に係る黒板用コーナー枠Ｆ２は、外周が１／４円部分１１ａと直線部分１１ｂを有する形状の枠本体１１を有し、また、断面がほぼ半円状の部分１１ｃと、平板部分１１ｄからなるＪ字状を呈している。枠本体１１の平板部分１１ｄの内側には、４５°にカットされた黒板本体２の基板の端面２ｆに対して垂直方向に先端が接する脚部１１ｅが形成されている。脚部１１ｅおよび平板部分１１ｄには、ビスを挿通するためのビス穴１１ｇが設けられている。
【００２１】
上記の構成の黒板用コーナー枠Ｆ２を、黒板本体２の角部に取り付けた状態を図４に示す。図４（ａ）には、黒板本体２の断面も示しており、２ａは黒板本体２の基板、２ｂはマグネット吸着のための鉄板、２ｃは黒板表面板、２ｄは裏枠桟、２ｅはコーナー補強材を示している。
【００２２】
黒板本体２の縦、横の裏枠桟２ｄには、それぞれ直線状の縁枠３が固定され、各縁枠３の端部を覆うように、黒板用コーナー枠Ｆ１の直線部分１ｂが上から重ね合わせられ、１／４円部分１１ａの内側に設けられた脚部１１ｅの先端が、黒板本体２の４５°にカットされた端面２ｆに当たるようにセットされ、ビス穴１１ｇからビスで黒板本体２の端面２ｆに締め付け固定される。また、両側のビス穴１１ｇからビスで黒板本体２の水平縁面と垂直縁面に締め付け固定される。
【００２３】
本考案の実施の形態２に係る黒板用コーナー枠Ｆ２を用いることにより、黒板本体２のコーナーを円弧状に加工することなく、単に直線状にカットするのみで、黒板本体２全体として角が丸い黒板を得ることができる。
【産業上の利用可能性】
【００２４】
本考案は、基板、鉄板、黒板表面板を丸く切断することなく、角を丸くした黒板を製造することのできる黒板用コーナー枠であり、教室や会議室に設置される固定式黒板や移動式黒板等の黒板（緑板、ホワイトボード、掲示板を含む。）に適用することができる。
【符号の説明】
【００２５】
Ｆ１  黒板用コーナー枠
１  枠本体
１ａ  １／４円部分
１ｂ  直線部分
１ｃ  断面半円状の部分
１ｄ  平板部分
１ｅ  脚部
１ｆ  補助脚部
１ｇ  ビス穴
Ｆ２  黒板用コーナー枠
１１  枠本体
１１ａ  １／４円部分
１１ｂ  直線部分
１１ｃ  断面半円状の部分
１１ｄ  平板部分
１１ｅ  脚部
１１ｇ  ビス穴
２  黒板本体
２ａ  基板
２ｂ  鉄板
２ｃ  黒板表面板
２ｄ  裏枠桟
２ｅ  コーナー補強材
２ｆ  ４５°にカットされた端面
３  縁枠
【図１】
0003177839.tif 000003
【図２】
0003177839.tif 000004
【図３】
0003177839.tif 000005
【図４】
0003177839.tif 000006
【図５】
0003177839.tif 000007
【図６】
0003177839.tif 000008
【図７】
0003177839.tif 000009